(57)【要約】      （修正有）【課題】太刀魚テンヤでの太刀魚の釣りが釣果アップに繋がる太刀魚テンヤ針の構造を提供。【解決手段】太刀魚テンヤの針本体の横軸部分１の軸先端から針先に向かって”つの字”に曲げる寸前の横軸部分１の軸先端に真直棒３を接着し、真直棒３の延長線上に真直棒３の一端を設け水中抵抗体を取り付ける事を特徴とする太刀魚テンヤの針の構造である。竿のシャクリ上げと水中抵抗体と連動して針先が３〜５ｃｍ瞬時移動して太刀魚の顔面を貫通して釣り上げるので好釣果が期待できる特徴がある。【選択図】図１
2018201479.tif 000002
【特許請求の範囲】
【請求項１】
太刀魚テンヤの針本体の横軸部分の軸先端から針先に向かって”つの字”に曲げる寸前の上記、横軸部分の軸先端に真直棒を接着し上記、真直棒の延長線上に真直棒の一端を設け水中抵抗体を取り付ける事を特徴とする太刀魚テンヤの針の構造。
【請求項２】
太刀魚が針掛かりして針の本体に大きな負荷がかかる処理は、太刀魚テンヤ針の針先の曲線部分を含んだ４ｃｍ程度を除いて、それ以外の横軸部分と曲線部分の針の内側または外側に沿って１ｍｍ径のステンレスワイヤーを裏打ちし上記、曲線部分は０．２ｍｍ径銅線を高密度に螺旋状に一重巻きにしてさらに上記、横軸部分は０．２ｍｍ径銅線を間隔あけて螺旋状に一重巻きにして、さらに上記、０．２ｍｍ径銅線を螺旋状巻きにしたすべての場所には、ステンレスハンダを極薄く、盛り付け処理をして太刀魚針の補強をする事を特徴とする請求項１記載の太刀魚テンヤの針の構造。
【発明の詳細な説明】
【技術分野】
【０００１】  本発明は、船釣りに用いられている太刀魚テンヤの針の構造に関する。
【背景技術】
【０００２】  従来から用いられている太刀魚テンヤの構造は、図４に示すように太刀魚針の針先８を下側に向け太刀魚針の横軸部分１をおもり１５に取り付け、太刀魚針の横軸部分１の上向きに釘状突起物６を取り付け、フック１３に針金１２の一端を結びつけた物である。図４は釘状突起物６に餌のイワシ９のお腹部分を刺して乗せた後、直ちに太刀魚の食べない頭部分を針金１２で良く留め、さらにお腹や尻尾まで太刀魚針の横軸部分１に沿ってグルグル巻き付け、針金１２の一端を太刀魚針の横軸部分１に留めてずれ落ちないようにしている。フック１３に釣竿からの幹糸と連結して海中に沈める。【０００３】  海中で太刀魚は立ち泳ぎをしており、上にいる魚を下から襲って食べる習性がある。図５に示すように針の横軸部分１の上部に乗っている餌のイワシ９を太刀魚１１が仕掛けの下側から噛みつきそのまま離さないでくわえていると、図６に示すように竿先のシャクリ上げで針先８が顔面を貫通させるテコの原理が発生して釣り上げる事ができる。逆にくわえ方が浅いと同じ竿先の操作でもテコの原理が発生しないので釣り上げる事ができない。この現象は前アタリで掛け合わせても釣れないと言われる所以である。太刀魚テンヤによる太刀魚釣りは関西で根強い人気があるが、関東方面の人気はいまひとつである。
【先行技術文献】
【０００４】
【特許文献】
【特許文献】特開２０１５−１９２６０７号公報
【発明の概要】
【発明が解決しようとする課題】
【０００５】  太刀魚テンヤを用いた釣り方は理屈で理解はできているが、釣りの現場に直面すると数多くある前アタリを本アタリに持って行く、この技術が以外と難しい。この前アタリは、太刀魚１１が釣り針の餌のイワシ９をつついて針のフトコロに実際に入り込んでいる証しでもあるので、図４に示すようにこの場所に針先８を送り込んでやれば、好釣果に結びつける釣りが出来、もっと沢山の人に楽しさを味わって貰える。これらを簡単な方法で対処可能なように、その商品の製造方法を提供することを目的としている。
【課題を解決するための手段】
【０００６】  上述の目的を達成するために、図１に示すように太刀魚テンヤの針本体の横軸部分１の軸先端から針先８に向かって”つの字”に曲げる寸前の上記、横軸部分１の軸先端に真直棒２を接着し上記、真直棒２の延長線上に真直棒の一端３を設ける事を特徴とする太刀魚テンヤの針の構造。【０００７】  図１に示すように太刀魚が針掛かりして針の本体に大きな負荷がかかる処理は、太刀魚テンヤ針の針先８の曲線を含んだ４ｃｍ程度を除いて、それ以外の横軸部分１と曲線部分１７の針の内側または外側に沿って１ｍｍ径のステンレスワイヤー４を裏打ちし上記、曲線部分１７は０．２ｍｍ径銅線５を高密度に螺旋状に一重巻きにしてさらに上記、横軸部分１は０．２ｍｍ径銅線５の間隔あけて螺旋状に一重巻きにして、さらに上記、０．２ｍｍ径銅線５を螺旋状巻きにしたすべての場所には、ステンレスハンダを極薄く、盛り付け処理をして太刀魚針の補強をする事を特徴とする請求項１記載の太刀魚テンヤの針の構造。
【発明の効果】
【０００８】  図１と図２に示すように真直棒の一端３に取付ける水中抵抗体の選定は、釣りに通常用いられている細身のタコベイト７を上記、真直棒の一端３に差し込み、結束バンドで固定し接続する。出来上がった装置のテストは縦長の水槽に沈め、前アタリを想定して竿のシャクリ上げの動作を行うと上記、タコベイト７の水中抵抗で太刀魚テンヤの針先８の動きは３〜５ｃｍ針のフトコロに向かって瞬時移動して、まるで太刀魚の顔面を貫通するが如き動作が確認された。そして実際の釣行では針掛かりする頻度が随分高くなるのが確認できた。前アタリを本アタリに持って行くまでの余分な時間の短縮にもなるし釣果アップにも繋がる。これで数多くの人が太刀魚テンヤによる釣りを今まで以上に楽しむことがこの商品の導入で可能となる。またこの改良でクセのある釣り方も幾分解消され関東方面でも人気のある釣り方になれば良いと思われる。
【図面の簡単な説明】
【０００９】
【図１】本発明の太刀魚テンヤの針の構造の側面図である。
【図２】本発明の水中抵抗体にタコベイトを取り付けた太刀魚テンヤの針の構造の側面図である。
【図３】本発明の水中抵抗体にタコベイトを装着しその横軸部分に餌のイワシを乗せた太刀魚テンヤの針の構造の側面図である。
【図４】従来の太刀魚テンヤで餌のイワシを装着した側面図である。
【図５】従来の太刀魚テンヤの餌のイワシに太刀魚が噛み付き離さないでいる側面図である。
【図６】従来の太刀魚テンヤの餌のイワシに太刀魚が噛み付きテコの原理が働き、針先が太刀魚に刺さった側面図である。
【発明を実施するための形態】
【００１０】  以下、本発明の実施の形態を図に基づいて説明する。
【００１１】図１は太刀魚テンヤの本体の横軸部分１の先端から針先８に向かって”つの字”に曲げる寸前の上記、横軸部分１の軸先端に真直棒２を接着し上記、真直棒２の延長線上に真直棒の一端３を設けさらに、太刀魚が針掛かりして針の本体に大きな負荷がかかる処理は、太刀魚テンヤ針の針先８の曲線を含んだ４ｃｍ程度を除いて、それ以外の横軸部分１と曲線部分１７の内側または外側に沿って１ｍｍ径のステンレスワイヤー４を裏打ちし、上記、曲線部分は０．２ｍｍ径銅線５を高密度に螺旋状に一重巻にしてさらに上記、横軸部分１は０．２ｍｍ径銅線５を間隔あけて螺旋状に一重巻にして、さらに上記、０．２ｍｍ径銅線５を螺旋状巻きにしたすべての場所には、ステンレスハンダを極薄く、盛り付け処理して太刀魚針の補強をしている。さらに図１は１ｍｍ径のステンレスワイヤー４を針の内側に裏打ちの例であるが、外側に実施しても作用は同じである。なお横軸１に餌のイワシが仕掛けに保持しやすいように釘状突起物６を３か所設けている。
【００１２】図２は図１の真直棒の一端３には水中抵抗体として細身のタコベイトを装着した実施例である。水中抵抗体の種類には目の粗いスポンジフィルター等が考えられ取付け場所は曲線部分でも可能だが真直棒の一端３の位置が動作良好である。
【００１３】図３は真直棒の一端３にタコベイトを装着して横軸部分１に餌のイワシ９を乗せた太刀魚テンヤの側面図である。水中抵抗体であるタコベイト７は餌のイワシ９の尻尾の下部に隠れているので違和感のない仕上がりになっている。
【００１４】図５は従来の太刀魚テンヤで餌のイワシに太刀魚がテコの原理である支点１０を噛み付き離さないでいる時、竿先でおもり１５をシャクリ上げると、図６では太刀魚めがけて針先８が顔面を貫通する動きをする。逆にくわえ方が浅いと同じ竿先の操作でも釣り上げることはできない。以上が太刀魚テンヤ方式の釣り方である。このようにクセのある釣り方であるが、この弱点を補って本発明は前アタリでも高い頻度で太刀魚を釣り上げることができ関東方面でも注目されるものと思われる。
【産業上の利用可能性】
【００１５】  本発明は多くの人々が仕事上で発生するストレスの発散、解消に利用しているが、船の太刀魚釣りのレジャー産業の分野で利用することができる。
【符号の説明】
【００１６】  １  横軸部分
２  真直棒
３  真直棒の一端
４  ステンレスワイヤー
５  ０．２ｍｍ径銅線
６  釘状突起物
７  タコベイト
８  針先
９  イワシ
１０  テコの原理の支点
１１  太刀魚
１２  針金
１３  フック
１４  おもりが移動する方向
１５  おもり
１６  針先が移動する方向
１７  曲線部分
【図１】
2018201479.tif 000003
【図２】
2018201479.tif 000004
【図３】
2018201479.tif 000005
【図４】
2018201479.tif 000006
【図５】
2018201479.tif 000007
【図６】
2018201479.tif 000008